Podtech/llm-jp-corpus-v4-ja_patent huggingface dataset:
(57)【要約】【課題】従来の流し台排水トラップの欠点である、封水の水切れの防止や封水、ゴミ収集バスケット、トラップ本体及び上蓋部に増殖する雑菌乃至微生物を殺菌させるためには、人手による洗浄作業をこまめに行い、排水処理施設で汚水を処理するか、あるいは薬剤を直接トラップ内に注入して殺菌することであった。【解決手段】本発明は、ゴミ収集バスケット４とトラップ本体５との間に中間筒３を新設することによりトラップ本体５の汚れを防止し、上蓋１の裏面、下部キャップ２、中間筒３内面、ゴミ収集バスケット４に酸化チタンを溶射し光触媒作用による殺菌、及び断続的な熱水注入による殺菌により、封水、ゴミ収集バスケット、トラップ本体及び上蓋部に増殖する雑菌乃至微生物を殺菌し、衛生度を著しく高めた家庭用流し台排水トラップである。又中間筒を新設することにより、トラップ本体の汚れを軽減することができる。【選択図】        図１
2004339811.tif 000002
【特許請求の範囲】
【請求項１】
酸化チタンを溶射し、光触媒作用により、トラップ本体の汚れを防止し、清潔度を著しく高めた家庭用流し台菌予防排水口。
【発明の詳細な説明】
【０００１】
【産業上の利用分野】
本発明は、上面から流入し、下部へ排水する排水トラップの封水、ゴミ収集バスケット、トラップ本体及び上蓋部の雑菌乃至微生物の殺菌を目的とした家庭用流し台用排水トラップに関するものである。
【０００２】
【従来の技術】
従来の排水トラップの欠点である封水内、ゴミ収集バスケット、トラップ本体及び上蓋部に増殖する雑菌乃至微生物を殺菌するためには、人手による洗浄作業をこまめに行い、排水管（排水溝）を通じて排水処理施設で処理するか、あるいは薬剤を注入して殺菌することであった。
【０００３】
しかし、この方法では人手による排水トラップの洗浄作業、又は薬剤注入作業が必要であり、定期的な作業を忘れたりすることがあった。
【０００４】
【発明が解決しようとする課題】
本発明は、洗浄作業や薬剤注入作業を軽減乃至停止させるために、封水、ゴミ収集バスケット、トラップ本体及び上蓋部に増殖する雑菌乃至微生物を殺菌し、衛生度を著しく高めた家庭用流し台排水トラップを開発しようとするものである。
【０００５】
【課題を解決するための手段】
本発明は、ゴミ収集バスケットとトラップ本体との間に中間筒を新設しトラップ本体の汚れを防止し、上蓋裏面、下部キャップ、中間筒内面、ゴミ収集バスケットに酸化チタンを溶射し、光触媒作用により、排水トラップ内で増殖する雑菌乃至微生物を殺菌し、衛生度を著しく高めた家庭用流し台排水トラップを開発しようとするものである。
【０００６】
【作用】
本発明の作用を述べると、排水トラップの封水、ゴミ収集バスケット、トラップ本体及び上蓋部に増殖する雑菌乃至微生物を光触媒作用（汚水分解作用・抗菌、抗カビ作用・匂い分解作用・水質浄化作用・超親水性作用）・熱水の供給により殺菌することができ、トラップ機能を維持改善させ、衛生的な効果が向上された家庭用流し台排水トラップを提供することができる。
【０００７】
しかも断続的に熱水を供給することにより、封水の水切れが原因となってトラップ機能が損なわれることを防止でき、流し排水口からの悪臭及び有害ガスの逆流を防止することができる。
【０００８】
【実施例】
本発明は、ゴミ収集バスケット４とトラップ本体５との間に中間筒３を新設することによりトラップ本体５の汚れを防止し、上蓋１の裏面、下部キャップ２、中間筒３内面、ゴミ収集バスケット４に光触媒材の酸化チタンを溶射し光触媒による殺菌作用、及び熱水注入による殺菌作用により、封水、ゴミ収集バスケット、トラップ本体及び上蓋部に増殖する雑菌乃至微生物を殺菌し、衛生度を著しく高めた家庭用流し台排水トラップを開発しようとするものである。
【０００９】
本発明は、ゴミ収集バスケット４とトラップ本体５との間に中間筒３を新設し、上蓋１の裏面、下部キャップ２、中間筒３内面、ゴミ収集バスケット４に酸化チタンを溶射し、排水トラップ本体５の内面、上蓋１部及び封水６に増殖する雑菌乃至微生物を光触媒作用により殺菌する。
【００１０】
本発明は、トラップ本体５に熱水を注入することにより、封水の水切れを防止するとともに、封水の水温を６０℃以上にし、熱により封水に増殖する雑菌乃至微生物を殺菌し、排水管（排水溝）７を通じて排水処理施設で処理する。
【００１１】
【発明の効果】
従来の流し台用排水トラップでは不可能であった自然蒸発による封水の水切れを防止し、排水トラップの機能を損なうことなく、封水、ゴミ収集バスケット、、トラップ本体及び上蓋部に増殖する雑菌乃至微生物を殺菌することができ、トラップ機能が維持改善され、衛生的効果が向上された流し台用排水トラップを提供することができる。
【図面の簡単な説明】
【図１】本発明の家庭用菌遮断流し台排水トラップ断面図
【図２】本発明の家庭用菌遮断流し台排水トラップ立体図
【符号の説明】
１    上蓋
２    下部キャップ
３    中間筒
４    ゴミ収集バスケット
５    トラップ本体
６    封水
７    排水管
【図１】
2004339811.tif 000003
【図２】
2004339811.tif 000004
(57)【要約】【課題】大幅な工期の短縮およびコストの削減を図ることができる建物の建替工法を提供することである。【解決手段】建物の建替工法は、地下水位の高い地盤１に建てられた地下躯体４のある建物２の基礎６に、地上躯体５の解体により減少する重量のうち、浮力に抵抗する重量の新築基礎８を構築した後、該新築基礎８に新築の地下躯体１４を構築しつつ既存の地下躯体４および既存の地上躯体５を解体する構成である。【選択図】    図１
2004339816.tif 000002
【特許請求の範囲】
【請求項１】
地下水位の高い地盤に建てられた地下躯体のある建物の基礎に、地上躯体の解体により減少する重量のうち、浮力に抵抗する重量の新築基礎を構築した後、該新築基礎に新築の地下躯体を構築しつつ、既存の地下躯体および既存の地上躯体を解体することを特徴とする建物の建替工法。
【請求項２】
既存の地上躯体の重量分の算出前に地下水位を設定することを特徴とする請求項１に記載の建物の建替工法。
【発明の詳細な説明】
【０００１】
【発明の属する技術分野】
本発明は建物の建替工法に関するものである。
【０００２】
【従来の技術】
建物の建替工法としては、例えば特開平１１−５０４８０号の発明がある。また地下水位の高い地盤に構築された建物の建替工法には、図９に示すようなものがある。この建替工法は地上躯体１６の解体に伴う浮力による建物１７の浮き上がりを防ぐために、同図の（２）に示すように、解体ガラ１８または土砂１９を基礎２０に詰めて地上躯体１６を解体していた。
【０００３】
【特許文献１】
特開平１１−５０４８０号公報（図２）
【０００４】
【発明が解決しようとする課題】
しかし、上記の建替工法は新築躯体を構築する際に、解体ガラや土砂を搬出するため非常な手間がかかった。
【０００５】
本発明はこれらの問題に鑑みてなされたものであり、その目的は、大幅な工期の短縮およびコストの削減を図ることができる建物の建替工法を提供することである。
【０００６】
【課題を解決するための手段】
以上の課題を解決するための建物の建替工法は、地下水位の高い地盤に建てられた地下躯体のある建物の基礎に、地上躯体の解体により減少する重量のうち、浮力に抵抗する重量の新築基礎を構築した後、該新築基礎に新築の地下躯体を構築しつつ、既存の地下躯体および地上躯体を解体する構成である。また既存の地上躯体の重量分の算出前に地下水位を設定することを含むものである。
【０００７】
既存の地上躯体の解体により減少する重量分の新築基礎を構築した後、該新築基礎に新築躯体を構築することができるので、大幅な工期の短縮およびコストの削減を図ることができる。また既存の地上躯体の重量分の算出前に地下水位を設定することにより、この地下水位による浮力を正確に算出することができる。
【０００８】
【発明の実施の形態】
以下、本願発明の建物の建替工法の実施の形態を図面に基づいて詳細に説明する。本発明は地下水位の高い地盤１に構築された建物２であり、地下４階、地上４階の建物を対象とする。
【０００９】
はじめに、図１に示すように、建物支持層の地下水位３を、例えば地面−３．２ｍに設定する。次に、既存の地下躯体４の外壁面の摩擦力を評価するとともに、躯体重量を算出する。
【００１０】
次に、既存の地上躯体５の解体により減少する重量を算出して、この重量減少による浮力の検討を行い、この浮力による既存の地下躯体４の浮き上がり対策を立てる。この浮き上がり対策としては新築基礎の構築であるが、この新築基礎を構築するための設計、すなわち、既存基礎のどの部分を残して、どの部分を撤去し、新築の柱をどこに建てるかなどを検討する。
【００１１】
次に、図２に示すように、既存の地下躯体４の基礎６における耐圧板７上に、既存の地上躯体５の解体により減少する重量分の新築基礎８を構築する。これは図３および図４に示すように、既存基礎６の基礎梁９の適宜箇所を撤去するとともに、この撤去した箇所にコンクリート１０を打設するものである。
【００１２】
そして、この新築基礎８を構築した後、既存の地上躯体５を解体して撤去する。この既存の地上躯体５の撤去に伴って躯体重量が減少して浮力の方が大きくなってゆくが、この浮力に抵抗する重量分の新築基礎８が構築されているため、地下水位の浮力による建物２の浮き上がりを防ぐことができる。
【００１３】
次に、図５に示すように、外周壁１１の強度維持のために、地下１階以下の既存の地下躯体４を支保工として残し、新築の建物の鉄骨柱１２を新築基礎８上に立設する。
【００１４】
次に、図６に示すように、新築１階の梁・床構造体１３の構築後に、既存の地下２階を解体する。この新築１階の梁・床構造体１３は支保工として、既存の地下躯体４の外周壁１１を支持するものである。
【００１５】
次に、新築１階の梁・床構造体１３の構築後に、図７に示すように、浮力とのバランスを考慮しながら、新築の地上躯体１５の建て方と既存の地下躯体４の解体とを進め、該地下躯体４を完全に解体する。
【００１６】
次に、図８に示すように、既存の地下躯体４の完全な解体にともなって、新築の地下躯体１４と新築の地上躯体１５とを構築して、新築の建物１５ａの構築を完成する。
【００１７】
【発明の効果】
新築基礎を浮力対策の重しとして利用することにより、架設工事費を最小のコストとすることができる。
【００１８】
既存建物の地上躯体の解体と一部平行して新築基礎の構築ができるため、新築の建物の完成までの総工期を短縮することができる。
【図面の簡単な説明】
【図１】地下水位の高い地盤に建てた既存建物の断面図である。
【図２】新築基礎を構築して地上躯体を解体した既存建物の断面図である。
【図３】新築基礎を構築した既存建物の平面図である。
【図４】新築基礎の断面図である。
【図５】新築基礎を構築し、新築の地下躯体を構築する断面図である。
【図６】１階床を構築して既存の地下躯体を解体する断面図である。
【図７】地下躯体の解体とともに、新築の地上躯体を構築する断面図である。
【図８】新築の建物が完成した正面図である。
【図９】（１）および（２）は従来の建替工法の断面図である。
【符号の説明】
１  地盤
２、１７  建物
３  地下水位
４  既存の地下躯体
５、１６  既存の地上躯体
６、２０  基礎
７  耐圧板
８  新築の基礎
９  基礎梁
１０  コンクリート
１１  外周壁
１２  鉄骨柱
１３  梁・床構造体
１４  新築の地下躯体
１５  新築の地上躯体
１５ａ  新築の建物
１８  解体ガラ
１９  土砂
【図１】
2004339816.tif 000003
【図２】
2004339816.tif 000004
【図３】
2004339816.tif 000005
【図４】
2004339816.tif 000006
【図５】
2004339816.tif 000007
【図６】
2004339816.tif 000008
【図７】
2004339816.tif 000009
【図８】
2004339816.tif 000010
【図９】
2004339816.tif 000011
(57)【要約】【課題】従来の排水用側溝においては、排水溝内に増殖する雑菌乃至微生物を殺菌するには、人手による排水溝内の清掃と薬剤注入により消毒・殺菌するものであった。【解決手段】光触媒材の酸化チタンを排水溝本体２の内面及び側溝蓋１の内面に溶射し、側溝蓋部１から入り込む紫外線を利用して光触媒作用により排水溝内に付着し増殖する雑菌乃至微生物を殺菌し、かつ温水注入口３より温水（６０℃〜７０℃）を、電動弁４を通じて自動的に注入・噴出することにより、光触媒作用を促進させ、温水熱による雑菌乃至微生物の殺菌及び汚れものの溶解・分離を行い、清掃・消毒・殺菌用の薬剤を使用しないより安全で衛生的な排水溝を提供するものである。【選択図】          図１
2004339813.tif 000002
【特許請求の範囲】
【請求項１】
排水溝内に付着し増殖する雑菌乃至微生物を殺菌し、汚れものを溶解・分離させるために排水溝内面及び側溝蓋内面に光触媒材を溶射し、給湯設備より温水を電動弁を通じて排水溝へ自動的に注入・噴射することを可能にしたより清潔で衛生的な排水用側溝を提供するものである。
【発明の詳細な説明】
【０００１】
【産業上の利用分野】
本発明は、排水用側溝内に付着した雑菌乃至微生物の殺菌及び汚れものの溶解・分離・防臭を目的とした排水用側溝に関するものである。
【０００２】
【従来の技術】
従来の排水用側溝は排水溝内壁に付着し増殖する雑菌乃至微生物を殺菌し、付着した汚れもの除去は、人手による清掃と薬剤を注入し消毒・殺菌することであった。
【０００３】
しかし、この方法では人手による清掃作業及び薬剤注入作業が必要であり、特に厨房内での薬剤の使用は衛生的に問題が発生するものである。又、未清掃期間での雑菌乃至微生物の発生には次の清掃・消毒・殺菌まで手付かずの状態であり、この期間における雑菌乃至微生物の発生及び増殖が予想される。
【０００４】
【発明が解決しようとする課題】
本発明は、排水用側溝清掃や薬剤注入作業を軽減乃至停止させるために排水用側溝内面及び側溝蓋内面に光触媒材を溶射し、かつ温水を注入・噴射することにより排水用側溝内壁に付着し増殖する雑菌乃至微生物及び汚れものを人手をかけず、薬剤を使用しないで殺菌・溶解・分離させ、常により安全で衛生的な排水用側溝を開発するものである。
【０００５】
【課題を解決するための手段】
光触媒材は、その特性から地球にやさしい触媒とされ、有機物を酸化還元し、水と酸化物に分離して汚れを自然分解したり、菌類の細胞膜を分解して殺菌、また菌が生み出す毒素の分解や臭気分子を水や空気と反応して分解したり、大気中の有毒ガスを酸化分解することが知られている。
【０００６】
温水（６０℃〜７０℃）を電動弁を通じて自動的に排水用側溝に注入・噴射する事により排水溝内面に付着している雑菌乃至微生物の殺菌と汚れものの溶解・分離が可能である。
【０００７】
本発明は、この光触媒材の酸化チタンを排水用側溝内面及び側溝蓋内面に溶射し、排水溝内面に付着し増殖する雑菌乃至微生物を殺菌すると共に温水を注入・噴射することにより、光触媒作用の促進と付着した汚れものの溶解・分離を可能とした、より安全で衛生的な排水用側溝を開発するものである。
【０００８】
その課題の解決手段を図面により説明すれば、光触媒材の酸化チタンを排水用側溝本体２の内面、側溝蓋部１の内面に溶射し、蓋部１から入り込む紫外線を利用して排水溝内面に付着し増殖する雑菌乃至微生物を殺菌するものである。
本発明は、光触媒作用を促進させると共に、熱による殺菌作用を利用し、側溝本体２の内面に付着した汚れものを溶解・分離するために、温水注入口３より温水（６０℃〜７０℃）を注入・噴射するものである。
又温水注入・噴射は、給湯設備より電動弁４を通じて自動的に行われるものとする。
【０００９】
【作用】
本発明の作用を述べると、光触媒材は酸化還元作用を引き起こし、無機や有機化合物の酸化分解、菌やウイルスの破壊を起こすことが知られているので、排水溝内に付着した雑菌乃至微生物を殺菌することができる。又上記した光触媒作用を促進させるために、自動的に温水を注入・噴射することにより排水溝内面に付着した汚れものを溶解・分離すると共に殺菌を可能にした。
【００１０】
現代では、ホテル、レストラン等の厨房施設での排水溝においては、床面及び排水溝蓋表面の清掃は、日常的に行われているが、排水溝内面の清掃・消毒・殺菌は月１回行われるか否かである。
本発明は、未清掃期間において排水構内に付着し発生増殖する雑菌乃至微生物を常時自動的に清掃する、より安全で衛生的な排水用側溝を提供するものである。
【００１１】
【実施例】
本発明は、排水用側溝本体２の内面及び側溝蓋部１の内面に酸化チタンを溶射し、かつ給湯設備より電動弁４を通じて温水注入口３より温水（６０℃〜７０℃）を注入・噴射するものである。
通常は、蓋部１又は本体側面より排水管から流入する排水は、排水溝本体２を通じてグリストラップに流れ込み、グリストラップ内にて油脂成分等の除去をするものであるが、厨房排水等の油脂成分の多い排水は排水管及び排水溝内面に付着しやすくつまりを引き起こし、付着物が雑菌乃至微生物発生の温床となるものである。
【００１２】
排水溝内面及び側溝口蓋内面に酸化チタンの光触媒材を溶射又は焼付けして排水構内で増殖する雑菌乃至微生物を殺菌することができた。
【００１３】
自動的に温水（６０℃〜７０℃）を注入・噴射することにより排水構内に付着した汚れものを溶解・分離させることができ、温水熱により光触媒作用を促進させることができた。
【００１４】
本発明は、光触媒材の酸化チタンを排水溝内面及び側溝蓋内面に溶射し、温水を注入・噴射させることを併用することにより、排水構内面に付着し増殖する雑菌乃至微生物を殺菌し、臭気の発生を防ぎかつ汚れものを溶解・分離させることができた。
本発明は、開渠側溝だけでなく暗渠側溝にも応用できるものであり人手のかからない２４時間、常により安全・清潔で、衛生的な排水用側溝となるものである。又、形状としては従来の排水溝と同様に厨房機器・器具のレイアウトに応じて変形、組み合わせが可能である。
【００１５】
【発明の効果】
従来の排水用側溝では不可能であった、人手をかけずに清掃、殺菌を行う作業を本発明での光触媒・温水注入式排水用側溝では、２４時間常に清掃・殺菌作業を可能とし、清掃・消毒用薬剤を使用しないことにより環境にやさしく、より安全で衛生的な排水用側溝を提供するものである。
【図面の簡単な説明】
【図１】本発明の光触媒・温水注入式自動洗浄排水用側溝立面図
【符号の説明】
１    排水用側溝蓋  （内面に酸化チタン触媒材を溶射・焼付け）
２    排水用側溝本体（内面に酸化チタン触媒材を溶射・焼付け）
３    温水注入・噴射口
４    温水注入用電動弁装置
【図１】
2004339813.tif 000003
(57)【要約】【課題】従来の流し台排水トラップの欠点である、封水の水切れの防止や封水、ゴミ収集バスケット、トラップ本体及び上蓋部に増殖する雑菌乃至微生物を殺菌するためには、人手による洗浄作業をこまめに行い、排水処理施設で汚水を処理するか、あるいは薬剤を直接トラップ内に注入して殺菌することであった。【解決手段】本発明は、ゴミ収集バスケット５とトラップ本体８との間に中間筒４を新設し、中間筒４底部に殺菌プレート６及び熱水供給管７を設置し、上蓋１、下部キャップ３、中間筒４、ゴミ収集バスケット５、殺菌プレート６及び熱水供給管７に酸化チタンを溶射し光触媒作用による殺菌、及び熱水注入による殺菌により、封水、ゴミ収集バスケット、トラップ本体及び上蓋部に増殖する雑菌乃至微生物を殺菌し、衛生度を著しく高めた業務流し台排水トラップである。又中間筒を新設することにより、トラップ本体の汚れを軽減することができる。【選択図】        図１
2004339812.tif 000002
【特許請求の範囲】
【請求項１】
酸化チタンを溶射し、光触媒作用により、トラップ本体の汚れを防止し、清潔度を著しく高めた業務用流し台菌予防排水口。
【発明の詳細な説明】
【０００１】
【産業上の利用分野】
本発明は、上面から流入し、下部へ排水する排水トラップの封水、ゴミ収集バスケット、トラップ本体及び上蓋部に増殖する雑菌乃至微生物の殺菌を目的とした業務用流し台排水トラップに関するものである。
【０００２】
【従来の技術】
従来の排水トラップの欠点である封水、ゴミ収集バスケット、トラップ本体及び上蓋部に増殖する雑菌乃至微生物を殺菌するためには、人手による洗浄作業をこまめに行い、排水管を通じて排水処理施設で処理するか、あるいは薬剤を注入して殺菌することであった。
【０００３】
しかし、この方法では人手による排水トラップへの洗浄作業、又は薬剤注入作業が必要であり、定期的な作業を忘れたりすることがあった。
【０００４】
【発明が解決しようとする課題】
本発明は、洗浄作業や薬剤注入作業を軽減乃至停止させるために、封水、ゴミ収集バスケット、トラップ本体及び上蓋部に増殖する雑菌乃至微生物を殺菌し、衛生度を著しく高めた業務用流し台排水トラップを開発しようとするものである。
【０００５】
【課題を解決するための手段】
本発明は、ゴミ収集バスケットとトラップ本体との間に中間筒を新設し、中間筒底部に殺菌プレート及び熱湯供給管を設置し、上蓋、下部キャップ、中間筒、ゴミ収集バスケット、殺菌プレート及び熱湯供給管に酸化チタンを溶射し、光触媒作用及び熱水により、排水トラップ内で増殖する雑菌乃至微生物を殺菌し、衛生度を著しく高めた業務用流し台排水トラップを開発しようとするものである。
【０００６】
【作用】
本発明の作用を述べると、排水トラップの封水、ゴミ収集バスケット、トラップ本体及び上蓋部に増殖する雑菌乃至微生物を光触媒作用（汚水分解作用・抗菌、抗カビ作用・匂い分解作用・水質浄化作用・超親水性作用）・熱水の供給により殺菌することができ、トラップ機能を維持改善させ、衛生的な効果が向上された業務用流し台排水トラップを提供することができる。
【０００７】
しかも今までの排水口にない機能の自動的に熱水を供給することにより、封水の水切れが原因となってトラップ機能が損なわれることを防止でき、流し排水口からの悪臭及び有害ガスの逆流を防止することができる。
【０００８】
【実施例】
本発明は、上蓋１の全面、下部キャップ３の全面、中間筒４の全面、ゴミ収集バスケット５の全面、殺菌プレート６の外部全面及び熱水供給管７の外部全面に光触媒材の酸化チタンを溶射し光触媒による殺菌作用、及び熱水注入による殺菌作用により、封水、ゴミ収集バスケット、トラップ本体及び上蓋部に増殖する雑菌乃至微生物を殺菌し、衛生度を著しく高めた業務用流し台排水トラップを開発しようとするものである。
【０００９】
本発明は、上蓋１の全面、下部キャップ３の全面、中間筒４の全面、ゴミ収集バスケット５の全面、殺菌プレート６の外部全面及び熱水供給管７の外部全面に酸化チタンを溶射し、封水１０、ゴミ収集バスケット５、トラップ本体８及び上蓋部１に増殖する雑菌乃至微生物を光触媒作用により殺菌する。
【００１０】
本発明は、トラップ本体８に熱水を注入することにより、封水の水切れを防止するとともに、封水の水温を６０℃以上にし、熱により封水に増殖する雑菌乃至微生物を殺菌し、且つ熱水によりトラップ内面に付着した汚れものを溶解・分離させ排水管（排水溝）９を通じて排水処理施設で処理する。
【００１１】
又トラップ本体に、排水の目づまりによる満水を検知して満水警報を出すセンサーと、温度を検知する温度センサーを設置している。
【００１２】
【発明の効果】
従来の流し台用排水トラップでは不可能であった自然蒸発による封水の水切れを防止し、排水トラップの機能を損なうことなく、封水、ゴミ集収バスケット、トラップ本体及び上蓋部に増殖する雑菌乃至微生物を殺菌することができ、トラップ機能が維持改善され、衛生的効果が向上された流し台用排水トラップを提供することができる。
【図面の簡単な説明】
【図１】本発明の業務用菌遮断流し台排水トラップ断面図
【図２】本発明の業務用菌遮断流し台排水トラップ立体図
【符号の説明】
１    上蓋
２    口金部
３    下部キャップ
４    中間筒
５    ゴミ収集バスケット
６    殺菌プレート
７    熱水供給管
８    トラップ本体
９    排水管
１０  封水
【図１】
2004339812.tif 000003
【図２】
2004339812.tif 000004
(57)【要約】【課題】基板を2枚以上使用する電子回路装置の基板の接続に関するものである。【解決手段】二枚の基板を上下に配置してかつ二枚の基板を電気的に接続する構造において、下基板より上方に伸びた接続ピンが複数設けられており、上基板には接続ソケットが固定されており、接続ピンを前記接続ソケットに貫通挿入し、前記接続ピンもしくは接続ソケットのいずれかもしくは両方にもうけられたバネ部で、両方の接続部を機械的かつ電気的に固着することにより、上下の基板を固定した事を特徴とする。【選択図】図１
2004207565.tif 000002
【特許請求の範囲】
【請求項１】
二枚の基板を上下に配置してかつ前記二枚の基板を電気的に接続する構造において、下基板より上方に伸びた接続ピンが複数設けられており、上基板には接続ソケットが固定されており、前記接続ピンを前記接続ソケットに貫通挿入し、前記接続ピンもしくは前記接続ソケットのいずれかもしくは両方にもうけられたバネ部で、両方の接続部を機械的かつ電気的に固着することにより、上下の基板を固定した事を特徴とした基板接続構造。
【請求項２】
前記接続ピンは横に張り出すバネ性を持つ端子であり、前記接続ピンを接続ソケットに差し込むことにより両方の接続部を機械的かつ電気的に固着することにより、上下の基板を固定した事を特徴とした請求項１の基板接続構造。
【請求項３】
前記接続ソケットは内側に張り出すバネ性を持つ端子であり、前記接続ピンを接続ソケットに差し込むことにより両方の接続部を機械的かつ電気的に固着することにより、上下の基板を固定した事を特徴とした請求項１の基板接続構造。
【請求項４】
前記二枚の基板は材質が違う基板であることを特徴とした請求項１又は請求項２の基板の接続構造。
【請求項５】
前記バネ部は前記接続ピンを横からはさむ構造にして、前記バネ部が基板接続後も前後左右の応力を吸収できるようにした基板の接続構造。
【請求項６】
前記基板の一方が金属基板であり、他方がガラスエポキシ基板であり、熱膨張係数違いによる収縮を前記接続バネ部で吸収したことを特徴とした請求項１〜請求項５の基板接続構造を用いた電源装置。
【発明の詳細な説明】
【０００１】
【発明の属する技術分野】
本発明は、基板を2枚以上使用する電子回路装置の基板の接続に関するものである。
【０００２】
【従来の技術】
従来は基板を2枚以上使用する電子回路装置は、両方の基板を溶接やはんだづけ等で電気的に接続していた。しかし、このような接続では後に溶接やはんだづけ工程が必要で工程が１つ増える、工程をおこなうために、接続箇所近傍に大型部品がなく溶接やはんだづけのためのスペースが必要であった。
【０００３】
【特許文献１】
特許２６９４１２５号  図１〜図３  これは、従来の基板接続の一例で、この構造は、溶接で接続するので、接続にはんだを用いないので基板接続後に基板洗浄の必要がないというメリットがあるものである。これは、第一の基板より接続端子片をたてて、それを第二の基板にもうけた穴に貫通し溶接をおこなって、二枚の基板を電気的に接続するものである。しかし、この構造は溶接の工程が必要。溶接するためスペースが必要といった問題点があった。
【０００４】
【発明が解決しようとする課題】
本願は、基板の固定に関するさまざまな以下の問題を解決するものである。
１． 二枚以上の基板を簡単にかつ後工程不要で接続する。
２． 部品集積度が高い基板でも挿入するだけで基板接続可能なので容易に接続できる。
３． 第一基板の任意の箇所から接続ピンを出しているので、配線の引き回しを楽におこなうことができる。
４． 基板固定後も多少の遊びがあるので接続部の熱膨張にたえうるようにできたので、金属基板やガラスエポキシ基板等異種の材質の基板を接続できる。
【０００５】
【課題を解決するための手段】
本願は、二枚の基板を上下に配置してかつ前記二枚の基板を電気的に接続する構造において、下基板より上方に伸びた接続ピンが複数設けられており、上基板には接続ソケットが固定されており、接続ピンを前記接続ソケットに貫通挿入し、前記接続ピンもしくは接続ソケットのいずれかもしくは両方にもうけられたバネ部で、両方の接続部を機械的かつ電気的に固着することにより、上下の基板を固定した事を特徴とする。
【０００６】
【発明の実施の形態】
以下、本発明の実施の形態について図面を参照して説明する。
図１は本願の発明の一実施例図である。本願装置の製造方法を簡単に説明する。図１は本発明一実施例図であり、第一基板はガラスエポキシ基板、第二基板が金属基板を用いた。金属基板はガラスエポキシ基板と比較して熱を多く放出するので、ＩＣやＭＯＳのような半導体装置を数多く搭載している。ガラスエポキシ基板はコンデンサ等の比較的発熱の少ない部品が多く搭載されている。下基板にははんだづけされた接続ピンが上方に向けたてられている。
【０００７】
下基板にはスペーサがもうけられており、上基板と下基板との距離が一定にたもたれるようにされている。しかし、スペーサはなくとも例えば接続ソケット先端をつぶすあるいは、キャップ状にすれば、基板はそこで止まるので、スペーサは省くことも可能である。
【０００８】
実施例１では接続ピンと接続ソケットの接続は、図４のように接続ソケットにバネ部を設けて、それに円柱型の接続ピンを挿入し、円柱ピンを横からバネ部ではさんで両方を固定した。実施例の２は実施例１をさらに改良したものであって、接続ピンを横に張り出したバネ性を持つ端子のものにし。一方、接続ソケットは円柱状の受け部を持つようにした。そして、横に張り出したバネ性を持つ接続ピンを接続ソケットに挿入して、両者を固定した。このような形状では、接続ソケットの周りを樹脂で覆うことが容易にできるようになる。このようにすれば接続部分が実施例１と比較して、覆われている格好になるので、より信頼性があがり、更には、コスト的にも安くすることができる。本願は、説明しやすいように、ソケットが上、接続ピンが下の状態になっている場合で記載したが、使用状態で、それをひっくりかえした、ソケットが下、接続ピンが上の場合、基板を横にして使用するもの等についても当然権利範囲内こなることはいうまでもない。
【０００９】
【発明の効果】
このように本発明は下記の効果を持ち産業上利用可能性大なるものである。
▲１▼  二枚以上の基板を簡単にかつ後工程不要で接続する。
▲２▼  部品集積度が高い基板でも挿入するだけで基板接続可能なので容易に接続できる。
▲３▼  第一基板の任意の箇所から接続ピンを出しているので、配線の引き回しを楽におこなうことができる。
▲４▼ 基板固定後も多少の遊びがあるので接続部の熱膨張にたえうるようにできたので、金属基板やガラスエポキシ基板等異種の材質の基板を接続できる。
【図面の簡単な説明】
【図１】本発明の一実施例基板接続前
【図２】本発明の一実施例基板接続後
【図３】接続ソケットにバネ部を設けた例
【図４】接続ピンにバネ部を設けた例
【符号の説明】
１…第１基板
２…電子部品
３…第２基板
４…接続ソケット
５…接続ピン
６…バネ部
７…スペーサ
【図１】
2004207565.tif 000003
【図２】
2004207565.tif 000004
【図３】
2004207565.tif 000005
【図４】
2004207565.tif 000006
(57)【要約】【課題】電子基板への電子部品及び配線等の接続にはんだ及び接続端子を使用しない接続方法を提供する。【解決手段】電子基板１へ電子部品５及び配線３等を取り付けた後熱収縮性フィルム２で固定させる。【選択図】  図１
2004207664.tif 000002
【特許請求の範囲】
【請求項１】
電子部分及び配線等を電子基板へ接続する際、熱収縮性フィルムを使用し、はんだ及び接続端子を必要としない接続方法を提供する。
【発明の詳細な説明】
【００１】
【発明の属する技術分野】
本発明は熱収縮性フィルムを使用し、電子基板へ電子部品及び配線等の接続を安価及び容易にする接続方法である。
【００２】
【従来の技術】
従来は電子基板へ電子部品及び配線等を接続する為には、はんだ及び接続端子を使用していた。
熱収縮性フィルムを使用した接続方法はなかった。
【００３】
【発明が解決しようとする課題】
１、は電子部品及び配線等を電子基板へ接続する際は、はんだ及び接続端子を使用していた為はんだ付け工程及び接続端子を必要としていた。
２、電子基板及び接続部の保護を容易に出来る方法がなかった。
３、電子部品及び接続端子を電子基板へはんだ付けしている為、容易に外す事が出来なかった。
４、接続端子同士の脱着時に接触部に傷が付いていた。
【００４】
【課題を解決するための手段】
１、電子部品及び配線等を直接電子基板に接続する為、はんだ付け及び接続端子を使用しない。
２、電子基板及び接続部をフィルムで保護する。
３、はんだ付けを使用せず熱収縮性フィルムと位置決め穴及び突起で固定する。
４、配線を電子基板の接続部へ置いた後、熱収縮性フィルムと位置決め穴及び突起で固定する。
【００５】
【発明の実施の形態】
以下、本発明の実施の形態について説明する。
１、電子基板１に位置決め穴又は突起を設け、その穴又は突起へ電子部品５又は配線３の位置決め穴又は突起を合わせ電子部品５又は配線３を取り付ける。
２、電子部品５及び配線３を取り付けた電子基板１に熱収縮性フィルム２を取り付けた後、熱にて収縮させる。
【００６】
【発明の効果】
１、はんだ付け及び接続端子を使用しない為コストダウン及び省スペースに貢献する。
２、フィルムにより電子基板及び電子部品又は接続部を保護する為埃及び水分の付着を防止し、故障の原因を削減する。
３、はんだ付けを行っていない為各部品のリサイクルが容易に出来る。
４、接点部を擦らない為、接触部に傷が付かない。
【図面の簡単な説明】
【図１】本発明の使用状態を示す全体図である。
【図２】本発明Ａ部の使用状態を示す断面図である。
【図３】本発明Ｂ部の使用状態を示す断面図である。
【図４】本発明Ｃ部の使用状態を示す詳細図である。
【符号の説明】
１、電子基板
２、熱収縮性フィルム
３、配線
４、位置決め穴又は突起
５、電子部品
【図１】
2004207664.tif 000003
【図２】
2004207664.tif 000004
【図３】
2004207664.tif 000005
【図４】
2004207664.tif 000006
(57)【要約】【課題】従来技術では困難であったレースウェイ工法などで施工された長尺かつ水平で巾狭な支持梁へ、直付形照明器具特に逆富士形照明器具の確実な取付けを可能にする。【解決手段】天井に配置される長尺かつ水平な支持梁１０を備える。前記支持梁１０にその下面側から弾発的に装着される一対の取付金具３０を備える。長尺な器具本体７０とその下面側を覆う樋状の逆富士形反射板９０とを含む逆富士形蛍光灯器具を備える。前記各取付金具３０にその下面側から固定される補助金具５０を備える。前記各補助金具５０の下面側に前記器具本体７０の上面端部を固定し、前記各補助金具５０の上面側に前記支持梁１０の下部１２と係合して該補助金具５０の姿勢を安定させる切欠き５２を形成し、前記逆富士形反射板９０上側の一対の側縁部６２を前記補助金具５０の下面側に当接させる。【選択図】    図１
2004207202.tif 000002
【特許請求の範囲】
【請求項１】
天井に配置される長尺かつ水平な支持梁を備え、前記支持梁にその下面側から弾発的に装着される一対の取付金具を備え、長尺な器具本体とその下面側を覆う樋状の逆富士形反射板とを含む逆富士形蛍光灯器具を備え、前記各取付金具にその下面側から固定される補助金具を備え、
前記各補助金具の下面側に前記器具本体の上面端部を固定し、前記各補助金具の上面側に前記支持梁の下部と係合して該補助金具の姿勢を安定させる切欠きを形成し、前記逆富士形反射板上側の一対の側縁部を前記補助金具の下面側に当接させることを特徴とする天井照明装置。
【発明の詳細な説明】
【０００１】
【発明の属する技術分野】
本発明はレースウェイ工法などで施工された天井材に直付形蛍光灯器具を取付る天井照明装置に関するものである。
【０００２】
【従来の技術】
従来の技術ではレースウェイ工法などで施工された天井材に、直付形照明器具を確実（安定的）に取付けることは困難であった。
【０００３】
【発明が解決しようとする課題】
本発明は、従来技術では困難であったレースウェイ工法などで施工された長尺かつ水平で巾狭な支持梁へ、直付形照明器具特に逆富士形照明器具の確実な取付けを可能にする。
【０００４】
【課題を解決するための手段】
従来技術の天井材（支持梁）と照明器具の間に、補助金具を具備することにより上記課題を解決する。
【０００５】
【発明の実施の形態】
長尺かつ水平で巾狭な支持梁１０と、支持梁１０の下面側から弾発的に装着される一対の取付金具３０が設置されているレースウェイ工法などで施工された天井に、長尺な器具本体７０とその下面側を覆う樋状の逆富士形反射板９０とを含む直付形蛍光灯器具を確実（安定的）に取付る方法を図１・図２・図３により以下に説明する。
長尺かつ水平で巾狭な支持梁１０に装着された一対の取付金具下面側３２に、各補助金具５０上面側に支持梁１０の下部１２と係合して該補助金具５０の姿勢を安定させる切欠き５２が形成された補助金具５０は、取付金具３０に具備されたねじ部３４と補助金具３６により補助金具５０を装着させる取付孔５４を形成し、補助金具５０には器具本体７０を装着させるための取付ボルト５６が補助金具５０の下面側に突出するよう具備させ、取付ボルト５６が器具本体７０の取付孔７０を介し取付ナット５８により器具本体７０を補助金具５０に装着させ、逆富士形反射板上側９０一対の側縁部９２を補助金具５０の下面側に当接させる仮天井面を補助金具５０に形成させることを特徴とする天井照明装置である。
【０００６】
【発明の効果】
本発明によれば、レースウェイ工法などで施工された天井に配置される長尺かつ水平で巾狭な部材へ、直付形照明器具特に逆富士形照明器具を確実（安定的）に取付ることが可能となる。
【図面の簡単な説明】
【図１】本発明装置を示す断面図である。
【図２】その矢視Ａの斜視図である。
【図３】その矢視Ｂの斜視図である。
【符号の説明】
１０：支持梁
１２：支持梁１０の下部
３０：取付金具
３２：取付金具３０下面部
３４：取付金具３０具備されたねじ部
３６：ねじ部３４に相対する補助金具
５０：補助金具
５２：補助金具５０に形成された切欠き
５４：補助金具５０に形成された取付孔
５６：補助金具５０に具備された取付ボルト
５８：取付ボルト５６に相対する取付ナット
７０：器具本体
７２：器具本体７０に形成された取付孔
９０：逆富士形反射板
９２：  逆富士形反射板上側一対の側縁部
【図１】
2004207202.tif 000003
【図２】
2004207202.tif 000004
【図３】
2004207202.tif 000005
(57)【要約】      （修正有）【解決手段】無垢クリスタルガラスを色別に着色し花と葉を製造し、光拡散のためサンドグラスト加工し、その製品に各々発光素子を取り付け、配線によって茎を作り、又色別光ファイバーを束ね根元に発光素子を取り付け、ガラスキャップの中に各種類のキャラクター、花束、光ファイバーを固定させ、そのガラスキャップ下部分に芳香剤入れケース、ＡＣアダプターを収納できる本体を取り付け電源プラグを差し込むと点灯するようにする。【効果】花束と光ファイバーも鮮やかに点灯し、特にガラスキャップの下部分をサンドグラスト加工してあるため、キャラクター、花束、光ファイバーとの調和が取れて、美的感あふれる商品が実現できた。【選択図】図６
2004207201.tif 000002
【特許請求の範囲】
【請求項１】
各種類の花、葉を無垢クリスタルガラスで製作して各色に着色し、その着色した製品を光拡散させるためサンドグラスト加工し、花葉に色別発光素子を取り付け点灯させ、又種類別キャラクター、色別光ファイバーをガラスキャップに挿入し、そのガラスキャップの底部に芳香剤ボックスを設け、香りと美的感を表現させた商品です。
【発明の詳細な説明】
この発明の発光素子付装飾芳香灯は無垢クリスタルガラスを色別に着色し〔図１〕の各種類の花、〔図２〕各種類の葉を製造し、その花葉を光拡散させるためサンドグラスト加工し、花と葉の元に〔図３〕の色別発光素子を取り付け固定し、茎の部分は配線によって〔図６〕−１２白色板に固定させ、次に〔図４〕の各色光ファイバーを束ね、同じく〔図６〕−１２白色板に固定させその下に〔図６〕−８の発光素子を取り付け固定させ、各々〔図６〕−９のＡＣアダプターに接続します。又〔図５〕の各種キャラクターも白色板に固定させ〔図６〕−１３ＡＣアダプター、配線、芳香剤入れボックスに〔図１〕〔図２〕〔図３〕〔図４〕〔図５〕を組み立てしたものを完全に白色板に固定させ、最後に〔図６〕−１のガラスキャップをネジ式にてかぶせ〔図６〕−１０電源プラグで点灯させれば見事に鮮やかな装飾芳香灯になります。
【図面の簡単な説明】
【図１】各種類の花
【図２】各種類の葉
【図３】各色別発光素子
【図４】各色別光ファイバー
【図５】各種のキャラクター
【図６】全体図
【符号の説明】
〔図６〕−１ガラスキャップ  〔図６〕−２各種類のキャラクター
〔図６〕−３各種類の花      〔図６〕−４各種類の葉
〔図６〕−５配線            〔図６〕−６各色別光ファイバー
〔図６〕−７光ファイバー点灯部分
〔図６〕−８発光素子        〔図６〕−９ＡＣアダプター
〔図６〕−１０電源プラグ    〔図６〕−１１配線
〔図６〕−１２白色板
〔図６〕−１３ＡＣアダプター、配線、芳香剤入れ収納ボックス
〔図６〕−１４芳香剤引出式ボックス
〔図６〕−１５取手
【図１】
2004207201.tif 000003
【図２】
2004207201.tif 000004
【図３】
2004207201.tif 000005
【図４】
2004207201.tif 000006
【図５】
2004207201.tif 000007
【図６】
2004207201.tif 000008
(57)【要約】【課題】化粧ネジ３を取付けたときに付く反射板１表面のキズを極力目立たない位置とし、化粧ネジ３を締め付けるときのトルクが最小となる位置に突起部３１を設けることにより、化粧ネジ３を外したときの反射板１表面の意匠性を改善し、化粧ネジ３取付け時に大きな取付トルクを必要とせず、取付作業性を改善した化粧ネジ３を提供する。【解決手段】反射板１表面に付く傷を極力目立たない位置としながらも、化粧ネジ３の締付けトルクが最小となる位置に突起物３１の位置を変え、反射板１表面の意匠性を改善し化粧ネジ３の納付トルクが最小になることから、取付作業性が改善される。【選択図】    図１
2004207189.tif 000002
【特許請求の範囲】
【請求項１】
本体と反射板、更に反射板を取付けるための化粧ネジと、反射板を取付けるための取付金具を本体に取付し構成された長尺な器具本体を備え、前記器具本体の反射板に沿って着脱自在に配置される直管形蛍光ランプを備え、前記反射板を化粧ネジにより取付けるため、本体と電気的に接続され取付けられている取付金具が設けられ、化粧ネジは、ネジ部の基に設けらた逆三角形の断面を持つ突起部が反射板に設けた取付穴の周囲に接触し反射板と電気的接続がされ、化粧ネジは、取付金具、本体の順に電気的に接続され、本体にアースを行えば反射板も同じにアースされる構造とするために設けたことを特徴とする蛍光灯器具。
【発明の詳細な説明】
【０００１】
【発明の属する技術分野】
本発明は本体と反射板を電気的に接続させるため化粧ネジに設けられた突起部が反射板に設けられた穴の周囲に接触し電気的接続が行われ、化粧ネジをかいして本体と電気的接続のされている取付金具と電気的に接続しその結果、反射板と本体が電気的に接続される構造に関する。
【０００２】
【従来の技術】
従来は、反射板の表面部分に接触する爪が化粧ネジに設けられていたため、反射板表面にキズをつけていたため化粧ネジをはずすと傷が目立ち意匠性が良くない。又、爪は化粧ネジつまみ部の外周部に近い位置であるため反射板に接触したときの摩擦抵抗が大きく大きな締付力を必要とし、化粧ネジが回しにくく取付作業性が良くなかつた。
【０００３】
【発明が解決しようとする課題】
化粧ネジを取付けたときに付く反射板表面のキズを極力目立たない位置とし、化粧ネジを締め付けるときのトルクが最小となる位置に突起部を設けることにより、化粧ネジを外したときの反射板表面の意匠性を改善し、化粧ネジ取付け時に大きな取付トルクを必要とせず、取付作業性を改善した化粧ネジを提供することにある。
【０００４】
【課題を解決するための手段】
反射板表面に付く傷を極力目立たない位置としながらも、化粧ネジの締付けトルクが最小となる位置に突起物の位置を変え、反射板表面の意匠性を改善し化粧ネジの納付トルクが最小になることから、取付作業性が改善された化粧ネジを提供することにある。
【０００５】
【発明の実施の形態】
本発明の実施形態を、図１〜図５により説明する。照明器具の反射板１に設けられた反射板１を取付けるための穴２が設けられ、この穴２に化粧ネジ３を差込み、本体４と電気的に接続し本体４に取付けられている取付金具団とねじ込み反射板１を取付ける。（図１）このとき、化粧ネジ３のネジ３２に設けられた４ヶ所の突起３１が反射板１の穴２の周囲に、均等に接触し反射板１と電気的に接続され（図３）化粧ネジ３をかいして反射板１と取付台６が電気的に接続され、最終的に本体４へ接続され本体４にアースをすることにより、反射板１もアースされる。
以上により、化粧ネジ３の突起３１は穴２上部の周囲のみに接触するため、反射板１の表面から見えるキズの大きさを最小限にするとともに、反射板１と接触するときの摩擦抵抗が最も小さくなる位置に突起部を接触させられ最小限のトルクで化粧ネジ３を締付けらることから取付作業性の向上を図ることができる。
ちなみに、図４・５に従来方式の化粧ネジ３を示す。従来は化粧ネジ３のツマミ３３の下面より爪８が出ており、化粧ネジが通る穴２の周囲の表面にキズを付け、爪８と反射板１が接触し電気的に接続されていた。そのため、本発明より反射板１表面のキズが目立ち意匠性が悪く反射板１の穴２の周囲にキズを付けることから大きな締付トルクを必要とし取付作業性が良くないという問題があつた。
【０００６】
【発明の効果】
本発明によれば、反射板表面につくキズを最小限にし目立ちにくいキズとし、化粧ネジ取付け時の締付トルクを最小にできることから、化粧ネジを取り外したときの意匠性と、取付作業性を改善された照明器具を提供とできるという効果がある。
【図面の簡単な説明】
【図１】本発明器具の斜視図である。
【図２】その化粧ネジの斜視図である。
【図３】その化粧ネジで反射板を取付金具に取付けた状態の断面図である。
【図４】従来器具の化粧ネジの斜視図である。
【図５】その化粧ネジで反射板を取付金具に取付けた状態の断面図である。
【符号の説明】
１−反射板、２−穴、３−化粧ネジ、３１−突起、３２−ネジ、３３−ツマミ、４−本体、５−取付金具、６−ソケット台、７−ソケット、８−爪
【図１】
2004207189.tif 000003
【図２】
2004207189.tif 000004
【図３】
2004207189.tif 000005
【図４】
2004207189.tif 000006
【図５】
2004207189.tif 000007
(57)【要約】【課  題】従来の照明器具などの傘等には、その役割から光源近くに位置していながら、光を電気に変換し、再利用する装置が備わっていなかった。【解決手段】照明器具などの傘等に適宜の大きさを有するソーラー発電システムを設け、照明器具が発光することにより、このソーラー発電システムが電力を得ると共に得た電力を任意の電気により作動する装置の電力の一部もしくは全部として利用することにより、コンセントや電池等から得ている電力源の一部もしくは全部の電力として供給することを特徴とする再利用型ソーラー発電システムができる。【選択図】図２
2004207187.tif 000002
【特許請求の範囲】
【請求項１】
照明器具などの傘等に適宜の大きさを有するソーラー発電システムを設け、照明器具が発光することにより、このソーラー発電システムが電力を得ると共に、得た電力をこのソーラー発電システムと任意の電気により作動する装置との間に配線を設け、これらの電力の一部もしくは全部として利用することにより、コンセントや電池等から得ている消費電力の一部もしくは全部の電力として供給することを特徴とするエネルギー再利用型ソーラー発電システム。
【発明の詳細な説明】
【０００１】
【発明の属する技術分野】
本発明は、照明器具などの傘等にソーラー発電システムを組み込むことにより、その器具の発光作用を利用して再度電力源として利用することを可能としたエネルギー再利用型ソーラー発電システムに関する。
【０００２】
【従来の技術】
従来の照明器具などの傘等には、光を一定方向へと誘導することにより光を照らしたい方向の光量を増やすのに優れた機能性を有するものとして広く使用されている。
【０００３】
また、ソーラー発電システムは電卓やリモコン等に組み込まれて軽量・小型化され、わずかな光で作動する装置に使用されており、非常に優れた機能性を有する発電システムとして広く使用されている。（例えば、特許文献１参照）
【０００４】
【特許文献１】
特開平１０−２３５５１
【０００５】
【発明が解決しようとする課題】
以上に述べた従来の照明器具などの傘等はその役割から常に光の近くに位置しており、照射量や照射角度を調整する以外の利用が強く切望されている。
【０００６】
本発明は、上述の実情に鑑みて開発に至ったものであり、照明器具などの傘等の内側等にソーラー発電システムを設けることにより、コンセントや電池等から得ている電気器具の一部もしくは全部の電力源として供給することを目的とするものである。
【０００７】
【課題を解決するための手段】
そして、本発明は上記の目的を達成するために、照明器具などの傘の内側にソーラー発電システムを設け、照明器具が発光することにより、このソーラー発電システムが電力を発生させると共に、得た電力をこのソーラー発電システムと任意の電気により作動する装置との間に配線を設け、これらの電力の一部もしくは全部の電力源として利用することにより、コンセントや電池等から得ている消費電力の一部もしくは全部の電力として供給することを特徴とするエネルギー再利用型ソーラー発電システムである。
【０００８】
本発明は、上述のように構成したから、使用に際しては、照明器具などを点灯させるとソーラー発電システムが作動し、任意の電気器具に電力が供給され、その電力の一部もしくは全部の電力源として確実に活用することができる。
【０００９】
また、照明器具などの反射板部やカバーにソーラー発電装置を設けることにより、更に多くの電力を発電させることが可能となり、その使用価値は極めて大きい。
【００１０】
【発明の実施の形態】
以下、本発明の実施形態を図１〜図２に基づいて説明する。
【００１１】
図１においては、照明器具のコンセント１を差込み、照明のスイッチ２をＯＮにすると配線を通ってソケット３に接続されている電球４から発生している光に、照明器具の傘５に適宜の大きさを有するソーラー発電システム６が発電し、６から出ている配線７に電気が供給され、他の電気製品８の電源として利用している。
【００１２】
次に、図２であるが照明器具のスイッチ９をＯＮにすると、配線１０を通ってソケット１１に接続されている蛍光灯１２から発生している光に、照明器具の反射板１３に適宜の大きさを有するソーラー発電システム１４が発電し、その電力を再度蛍光灯１２の電源の一部として供給されるようソーラー発電システム１４から出ている配線１５にソケット１１を取付けている。
【００１３】
【実施例の作用】
図１は、照明器具の発光により、照明器具の傘等の内側に有するソーラー発電システムが作動し発生した電気を、他の電気製品１０の電源として利用することによりエネルギーを再利用させることができる。
【００１４】
図２は、照明器具の発光により、照明器具の反射板に有するソーラー発電システムが作動し発生した電気を再度、その照明器具の電源の一部として利用することにより、エネルギーを再利用させることができる。
【００１５】
【発明の効果】
上述したように本発明の再利用型ソーラー発電システムは、照明器具などの傘等にソーラー発電システムを設けることにより、従来は、光量調整を行っていた傘等をエネルギーの再利用装置として提供することができる。
【図面の簡単な説明】
【図１】本発明の実施形態を示す他の電気製品への電力の供給を可能とする再利用型ソーラー発電システムの斜面図である。
【図２】用型発電システムの斜面図である。
【符号の説明】
１．照明器具のコンセント
２．照明のスイッチ
３．ソケット
４．電球
５．照明器具の傘
６．ソーラー発電システム
７．配線
８．他の電気製品
９．照明器具のスイッチ
１０．配線
１１．ソケット
１２．蛍光灯
１３．照明器具の反射板
１４．ソーラー発電システム
１５．配線
【図１】
2004207187.tif 000003
【図２】
2004207187.tif 000004